(57)【特許請求の範囲】
【請求項１】
ロール状ペーパーの先端部を引出し可能な状態で支持するホルダー本体と、
このホルダー本体に取付けた前記ロール状ペーパーの引出し方向に設けられ、引出したロール状ペーパーの幅方向と平行に離間したり当接したりするように、その長手方向の中間部で軸支することで、軸支したその一辺側が回転により降下すると対向する他辺側が上昇するように形成した回動体と、この回動体の回転による上昇位置を規制すると共に、この上昇した前記回動体と接合するための、磁石を有する棒状のストッパーとで形成した挟持装置と、
この挟持装置を通過した前記ロール状ペーパーの引出し方向とは異なる方向に引くことで、そのペーパーを切断可能にする刃とからなるペーパーホルダー。
【請求項２】
長方形の板体の長手方向にそってその中間部を軸支すると共に、前記長手方向の一辺側が降下すると、対向する他辺側が上昇するように回転する回動体と、
この回動体の回転位置を規制すると共に、この回動体の上昇側と接合するために設けた磁石を有する棒状のストッパーとからなり、このストッパーと前記回動体の前記上昇側との間に、ロール状ペーパーを配置すると、このロール状ペーパーが両者間で挟持されて引出しの自由を阻止するようにした挟持装置。
【発明の詳細な説明】
【技術分野】
【０００１】  本発明は、ロール状ペーパーの引出し方向に引くとロール状ペーパーが通過して、切断方向に引くとその通過を阻止することで、ロール状ペーパーの引出しと切断とを、片手で操作できるように改善したペーパーホルダー及びそのホルダーに用いる挟持装置に関する。
【背景技術】
【０００２】  このように片手で操作できる例としては、ロール状ペーパーの引出し方向の下部に、片手で切断できる切断装置を設けたペーパー切断装置がある。
この切断装置は、その一端側を軸支して他端側にカッター５を設けてカッターアーム３とした。このカッターアーム３の軸支側に、ロール状ペーパーを押えるペーパー押え部６を設けると共に、このペーパー押え部６と平行して配設した棒状のペーパーアーム７とで、ロール状ペーパーの引出し部を挟めるようにした。
このような構成により、ロール状ペーパーを引出してペーパーを切断すると、カッターアーム３がテコの作用をして回転し、ペーパーを前記ペーパーアーム７側に押さえつけて、ペーパーの引出し方向の回転を阻止すると共に、カッター５でペーパーを切断できるようにしたペーパー切断装置がある。（例えば特許文献１参照）
また、トイレットペーパーの引出し方向に、磁石を対向配置した磁石受台３，４を配設して、一方の磁石受台を着脱すると共に、磁石の着状態では、互いの磁石の接合によってトイレットペーパーを挟み、脱状態ではトイレットペーパーの引出しができるようにすることで、片手でペーパーがちぎれるようにしたトイレットペーパーホルダー用補助具がある。使用するには、一対の磁石受台の下方に、ペーパーに設けたミシン目が有るように設定してから、一対の磁石でペーパーを挟むことで、その回転を阻止しペーパーを引出し方向に引張ってミシン目からペーパーを切断するものである。（例えば特許文献２参照）
【特許文献１】  特開２００２−２８３２８０号公報（第２頁、図１）
【特許文献２】  特開２００７−７５１７７号公報（第３頁、図１）
【発明の開示】
【発明が解決しようとする課題】
【０００３】  特許文献１に示すペーパー切断装置は、ロール状ペーパーの引出し部分の回転を阻止するために、カッターアーム３に設けたペーパー押え部６と、棒状のペーパー受け部７間に挿入することが困難であり、柔らかなロール状ペーパーを装着させるには、両手が使える場合でも難しいという大きな欠点があった。
また、ロール状ペーパーを交換する場合は、ペーパーの直径が大きいから切断装置との間隔が狭くなり、特に困難な作業であった。従って、片手ではペーパーの切断ができても、ロール状ペーパーの交換作業は全く不可能に近い構成であった。
このようなことは、図１の状態からも判明できる。
特許文献２に示す片手でちぎれるトイレットペーパー用補助具は、使用のたびに片方の磁石受台を取外してから、ペーパーを引出してミシン目の位置を設定後に引きちぎらなければならないという欠点があった。
また、ペーパーの長さを長く引出して使用するには、その先端部が床面に届いてしまって、その対応にも配慮しなければならない。更に、ペーパーをミシン目から引きちぎるには、強力な磁石を必要とするから、片手で磁石の着脱ができたとしても、一度他の場所に磁石を置いてから、ペーパーを引出さなければならない等の面倒もあって、片手操作用としては不親切な構成であった。
本発明はこのような欠点を解消するためになされたものであり、ロール状ペーパーの装着や片手での操作が容易にできるペーパーホルダー及びそのホルダーに用いる挟持装置の提供を目的とする。
【発明を解決するための手段】
【０００４】
上記不具合を解決するために、本発明は次のような構成としている。
請求項１に記載したペーパーホルダーは、ロール状ペーパーを引出し可能にするホルダ一本体のペーパー引出し方向に設けられ、この引出したペーパーの幅方向と平行に離間したり当接したりするように軸支すると共に、軸支した一辺側が回転により降下すると、対向する他辺側が上昇する回動体を設けた。
更に、この回動体の回転による上昇位置を規制すると共に、この上昇した前記回動体と接合するための磁石を有する棒状のストッパーを設けた。このストッパーと前記回動体とで引出したロール状ペーパーを挟みつける挟持装置とした。
この挟持装置を通過したロール状ペーパーの引出しは可能であるが、ペーパーの引出し方向とは異なる方向に引出すと、ペーパーの移動を阻止することができるもので、ここに
ペーパー切断用の刃を設けてペーパーホルダーとした。
このようなペーパーホルダーによれば、ペーパーの切断が片手でできるものである。    請求項２に記載した挟持装置は、長方形の板体の長手方向にそって、その中間部を軸支すると共に、前記長手方向の一辺側が降下して、対向する他辺側が上昇するように軸支位置を設定して回動体とした。
この回動体の回転位置を規制すると共に、この回動体の上昇側と接合するために設けた磁石を有する棒状のストッパーと、前記回動体とで挟持装置とした。
このような挟持装置によれば、回動体の一端を上昇させてストッパーに当接させると、回動体とストッパー間に位置するペーパーを挟持するので、片手によるペーパーの切断を可能とした。
このような挟持装置によれば、ペーパーの引出しと切断とが片手で行うことができる。
【発明の効果】
【０００５】
本発明によれば、ペーパーホルダーに挟持装置を設けたことにより、以下の効果を得ることができた。
すなわち、挟持装置を構成する回動体を、ロール状ペーパーと平行に離間して配置させ
ると、この回動体と当接するストッパーとが互いに離間した状態になるので、ペーパーを引出して挟持装置に装着させることが簡単にできるようになった。
このペーパーホルダーによれば、片手でペーパーを切断できる。
【発明を実施するための最良の形態】
【０００６】  本発明について、図面を参照して説明する。図１は本発明のペーパーホルダーを示す斜視図、図２は図１の一部を破断して示す分解斜視図である。
図１で示すように本発明のペーパーホルダー１０は、図示しないロール状ペーパーを支持する枠状のホルダー本体１２と、このホルダー本体に取付けたペーパーの先端部を、引出した状態でその両面から挟むように設定する挟持装置２０と、挟持したペーパーを切断するための刃３５とからなる。
このようなホルダー本体１２と挟持装置２０及び切断用の刃３５とについて、更に詳細に説明する。
ホルダー本体１２は、図１及び図２で示すように、コ字状の枠よりなる取付枠１３と、この枠内に配設すると共に、ロール状ペーパーを取付けるための取付軸１４とからなる。
この取付軸１４の両端には、図２で示す小突起状の支軸１５が設けられており、この一対の支軸１５を、取付枠１３に対向配置させたスリット状の、支軸挿入溝１６に出し入れすることで、取付軸１４を取付枠１３に着脱することができる。
この支軸挿入溝１６は、コ字形の取付枠１３の図中における上部側から、その中間部迄に設けられており、その最下端に支軸１５が位置して、取付軸１４を回転可能な状態で支持することができる。
またコ字状の取付枠１３の底面側には、必要に応じて支え板１８を設けることで、全体の形を堅固にしている。【０００７】  挟持装置２０は、図２で示すようにその幅方向の中間部を、長手方向にそって軸支した板状の回動体２１と、この回動体の長手方向の一端と当接して、回動体２１の回転方向を規制するために設けた棒状のストッパー２６とからなる。
このような回動体２１とストッパー２６とについて、更に詳細に説明する。図３は挟持装置を形成する回動体を示す斜視図、図４は同じくストッパーを示す斜視図である。
回動体２１は図３で示すように、平板状の板体２２の両端を湾曲させて、その片方には重り２３を取付けている。また、板体２２の長手方向には、棒状の支軸２５が固着されると共に、この支軸２５で全体を支えると、重り２３側が図中の矢印で示す方向に降下し、対向辺側が上昇するように設定している。
ストッパー２６は、図４で示すように、帯状の取付板２７の長手方向の一辺を湾曲させると共に、湾曲させた側の板に棒状の磁石２８を配設している。
この磁石２８は、複数個に分割したものを、点状に配置させたものでも良く、板も鉄板などで、磁石と接合する材質である。この磁石２８を設けたストッパー２６は、回動体２１の重り２３を取付けていない一辺側と当接して、互いに接合するように設定している。
この回動体２１とストッパー２６とは、図１及び図２で示したように、その両端部を取付枠１３に設けた取付穴に取付けたり、何らかの取付手段で支持させたりしている。
尚、ストッパー２６は取付枠１３に対して、固着状態でも良いが、回動体２１は図１で示した図中の矢印で示す方向に回動する状態で取付けている。この回動する構造としては、図３で示す板体２２と支軸２５との間で回転させても良いし、支軸２５と取付枠１３との間で回転するようにしても良い。【０００８】  このように形成した回動体２１とストッパー２６との関係を、図面を参照して説明する。図５は挟持装置の作用を示す説明図である。
図１及び図２で示すように取付けた回動体２１と、ストッパー２６とは図５の実線で示すように設定する。すなわち、支軸２５により軸支された回動体２１は、重り２３の作用で重り側が、図中の矢印で示す方面に回動されると共に、重り２３と対向する側が、ストッパー２６と当接した状態に設定される。
この当接状態は、重り２３の作用だけでなくて、磁石２８の作用も付加されて、両者はある程度しっかりと当接した状態になって、この間でロール状ペーパーを挟持するものである。
このような挟持装置２０は、磁石の磁力の強さによって、当接力すなわち挟持力を調整することができる。更に、回動体２１の支軸２５を、その板体２２とはフリーの状態で互いに回転するように設定すると共に、支軸２５に図示しないコイルスプリングを取付けて、板体２２に反発力を与えることで、ストッパー２６との当接力を調整することも可能である。【０００９】  この挟持装置２０にロール状ペーパー５を挟み込むには、先ず、図５の図中の点線で示すように、重り２３側を上昇させておく。このような位置設定は、コ字状の取付枠１３の壁面に、図示しないが小突起物を設けて、回動体２１の一部と当接させることで、図中の点線で示す位置に設定することができる。
この点線で示す回動体２１は、その側面から見ると、滑り台の如く傾斜した状態である。
この挟持装置２０は、ホルダー本体１２にロール状ペーパーを装着してその先端を引出すと、この引出し先には挟持装置２０が設けられている理由で、ペーパーの先端部は滑り台状に設定した回動体２１上に垂れ下る。更にロール状ペーパーを回転させてその先端を引出すと、滑り台にそって降下すると共に、ストッパー２６との間を通過して垂れ下ることになる。
この状態で図中の点線で示す回動体２１と、前述した小突起物との当接状態を解除すると、回動体２１がフリー状態になると共に、重り２３の作用で図５の実線で示すように、回動体２１がストッパー２６と当接して、ロール状ペーパーを挟持することができる。尚、図５で示すペーパー５の状態は、挟持される前の状態を示している。
このように挟持したロール状ペーパーを切断する刃３５について説明する。
刃３５は図２で示すような棒状の刃よりなり、ロール状ペーパーを切断できる程度で、危険性のあるナイフ状の刃ではない。一般的なペーパーホルダーに用いられているものと同等の刃３５である。【００１０】  このように構成したペーパーホルダーの使用例について、図面を参照して説明する。図６は図１の使用説明図である。
図６で示すように、ホルダー本体１２に装着したロール状ペーパーの先端部５は、前述したように挟持装置２０に挟まれて、降下している状態である。
これを使用するには、ペーパーの先端部５を、図の実線で示すように、図中の矢印Ａ方向に引いて、必要分を引出す。Ａ方向の引出しは、ストッパー２６に設けた磁石と回動体２１との一辺が接合している状態であるが、ロール状ペーパーの引出しが可能な状態で、挟持しているものである。
必要な長さ分のペーパーを引出したら、図中の点線で示すように、刃３５の方向に折曲した状態から、更に刃３５の側面にそって引上げる。すなわち、図中の矢印Ｂで示す方向に引くと、回動体２１や刃３５との接触が増したり、引出し方向の変移によってその抵抗力が増加したりして、刃３５の部分でロール状ペーパーが切断されると共に、挟持装置２０に挟まれた部分からその先端部は、垂れ下って次回のペーパーの引出しが容易になるように設定される。
挟持装置２０に挟まれたロール状ペーパーが、引き出し方向には引出されても、その切断時は刃３５の方向と、刃から上昇する方向の二度に渡って折曲され、引出し方向が全く逆方向になることで、その抵抗力が大きくなって、ペーパーの切断が可能となるものである。【００１３】  本発明のペーパーホルダーとして、コ字状の枠形をしたホルダー本体１２で説明したが、この例に限定することなく、市販の一般的なホルダー本体に挟持装置を設けると共に、ペーパーの引出し方向と異なる方向に、ペーパーを引出して切断できるペーパー切断刃を設けると、本発明のペーパーホルダーとなるものである。
また、磁石付きのストッパーで説明したが、回動体側に磁石を設けることでも良い。更にストッパーは、ホルダー本体を形成する取付枠側に固定した状態で説明したが、図１で示した例では、コ字状取付枠の奥部側に、ストッパー２６を移動するように取付けても良い。
例えば、棒体でロ字状又はコ字状の枠を形成し、その一辺に前述したストッパーの機能を持たせると共に、ストッパーの対向部側を支軸として、ストッパー２６が円孤状に往復移動することで、取付枠の奥部側にストッパーが移動するようにしても良い。
このようなストッパー２６を移動可能にしたペーパーホルダーでは、ロール状ペーパーの取付を、更に容易にすることができる。
【図面の簡単な説明】
【００１４】
【図１】本発明のペーパーホルダーを示す斜視図である。
【図２】図１の一部を切断して示す分解斜視図である。
【図３】挟持装置を形成する回動体を示す斜視図である。
【図４】同じくストッパーを示す斜視図である。
【図５】挟持装置の作用を示す説明図である。
【図６】図１の使用説明図である。
【符号の説明】
【００１５】
１０  ペーパーホルダー
１２  ホルダー本体
２０  挟持装置
２１  回動体
２３  重り
２６  ストッパー
２８  磁石
３５  刃
【図１】
0005176088.tif 000002
【図２】
0005176088.tif 000003
【図３】
0005176088.tif 000004
【図４】
0005176088.tif 000005
【図５】
0005176088.tif 000006
【図６】
0005176088.tif 000007